(57)【要約】【課題】選択されている機能が何であるかが分かりやすい表示選択装置の提供。【解決手段】画面の中央部に現在選択されている機能のアイコンをアニメーション表示させ、その両脇に次に選択可能な機能が何であるのか分かる程度にしたアイコンの一部分を中央に表示させたアイコンより小さく静止表示させることで、現在選択されているアイコンを知覚しやすくした。また、報知機能を合わせて用いる事で更に分かりやすくした。【選択図】    図２
2004287886.tif 000002
【特許請求の範囲】
【請求項１】
少なくとも１以上の表示選択ボタンと、前記表示選択ボタンにより選択された機能を表現するアイコンの表示を行う表示装置とを有し、前記選択された機能を表現するアイコンを前記表示装置の所定の場所へ表示し、前期表示選択ボタンにより次に選択可能な機能を表現するアイコンの一部分を前記表示装置の表示範囲の辺に接するように表示することを特徴とする表示選択装置。
【請求項２】
前記選択された機能を表現するアイコンの表示は時間経過とともに変化する表示であることを特徴とする請求項１記載の表示選択装置。
【請求項３】
前期表示選択ボタンにより次に選択可能な機能を表現するアイコンの表示は静止した表示であることを特徴とする請求項２記載の表示選択装置。
【請求項４】
前記選択された機能に対応する所定の文字を前記表示装置に表示することを特徴とする請求項１記載の表示選択装置。
【請求項５】
前記選択された機能を表現するアイコンの表示は前記表示選択ボタンにより次に選択可能な機能を表現するアイコンの表示と異なる大きさとしたことを特徴とする請求項１記載の表示選択装置。
【請求項６】
前記表示選択ボタンにより選択された機能を表現するアイコンは前記表示装置の中央を含む位置に表示し、前期表示選択ボタンにより次に選択可能な機能を表現するアイコンの一部分は前記表示選択ボタンにより選択された機能を表現するアイコンを表示した場所の左右方向または上下方向に表示することを特徴とする請求項１記載の表示選択装置。
【請求項７】
報音手段か発光手段か振動手段のいずれか一つ以上の報知手段を有し、前期表示選択ボタンの操作により機能が選択されると前記報知手段のいずれか一つ以上の手段により報知を行なうことを特徴とする請求項１記載の表示選択装置。
【請求項８】
前記報知は所定の機能が選択されたときに行なうことを特徴とする請求項７記載の表示選択装置。
【請求項９】
前記報知は選択された機能毎に所定の報知を行なうことを特徴とする請求項７記載の表示選択装置。
【請求項１０】
請求項１から請求項９記載のいずれか記載の表示選択装置を有する電子機器であることを特徴とする表示選択装置を用いた電子機器。
【請求項１１】
請求項１０記載の表示選択装置を用いた電子機器において、前記電子機器は携帯電話機である事を特徴とする表示選択装置を用いた携帯電話機。
【発明の詳細な説明】
【０００１】
【発明の属する技術分野】
本発明は、表示選択装置とこれを用いた携帯電話機及び電子機器に関する。
【０００２】
【従来の技術】
従来の技術では、虚構の環内に図形を配置しユーザーがキーを押すことで、順に虚構の環内の図形を回転させ表示スクリーンに表示させ、現在選択している機能を図形により認識できるようにした機能を選択する発明が開示されていた（例えば、特許文献１参照。）。
【０００３】
【特許文献１】
特開平１１−３２７７４１号公報（第２項、第２図）
【０００４】
【発明が解決しようとする課題】
従来の技術では、各機能に対応した画像で機能の表現はしているものの、小さい画面に複数のアイコンが表示されているので、現在何が選択されているのか分かりづらいという問題があった。本発明の目的は、機能選択において、どの機能が選択されているのかが分かりやすい装置、及びその装置を用いた機器を提供することにある。
【０００５】
【課題を解決するための手段】
上記問題を解決するために、本発明では以下の手段を講じた。
【０００６】
少なくとも１以上の表示選択ボタンと、前記表示選択ボタンにより選択された機能を表現するアイコンの表示を行う表示装置とを有し、前記選択された機能を表現するアイコンを前記表示装置の所定の場所へ表示し、前期表示選択ボタンにより次に選択可能な機能を表現するアイコンの一部分を前記表示装置の表示範囲の辺に接するように表示することを特徴とする。
【０００７】
更に、前記選択された機能を表現するアイコンの表示は時間経過とともに変化する表示であることを特徴とする。
【０００８】
更に、前記選択された機能を表現するアイコンの表示は時間経過とともに変化する表示であり、前期表示選択ボタンにより次に選択可能な機能を表現するアイコンの表示は静止した表示である。
【０００９】
更に、前記選択された機能に対応する所定の文字を前記表示装置に表示することを特徴とする。
【００１０】
更に、前記選択された機能を表現するアイコンの表示は前期表示選択ボタンにより次に選択可能な機能を表現するアイコンの表示と異なる大きさとしたことを特徴とする。
【００１１】
更に、表示選択装置において、前記表示選択ボタンにより選択された機能を表現するアイコンは前記表示装置の中央を含む位置に表示し、前期表示選択ボタンにより次に選択可能な機能を表現するアイコンの一部分は前記表示選択ボタンにより選択された機能を表現するアイコンを表示した場所の左右方向または上下方向に表示することを特徴とする。
【００１２】
また、報音手段か発光手段か振動手段のいずれか一つ以上の報知手段を有し、前期表示選択ボタンの操作により機能が選択されると前記報知手段のいずれか一つ以上の手段により報知を行なうことを特徴とする。
【００１３】
更に、前記報知は所定の機能が選択されたときに行なうことを特徴とする。
【００１４】
更に、前記報知は選択された機能毎に所定の報知を行なうことを特徴とする。
【００１５】
更に、以上の表示選択装置を有する電子機器であることを特徴とする。
【００１６】
更に、電子機器は携帯電話機であることを特徴とする。
【００１７】
【発明の実施の形態】
以下、本発明の実施の形態を、図面を参照して説明する。
【００１８】
図１は、本発明の実施の形態を示す表示選択装置を用いた携帯電話機の図である。本体１００は、携帯電話機の本体で図示はしていないが、内部に無線通信の為の電子回路や、振動モーターや二次電池等の携帯電話機機能を実現するための、電子機器や電子回路等を搭載している。
【００１９】
アンテナ１０１は、電波を送受信する為に用いるアンテナである。レシーバー１０２は、通話時に会話を聞くレシーバーである。マイク１０３は、音声を電気信号に変換して通話時の会話に用いるマイクロフォンである。ボタン群１０４は、点線で囲まれている部分の複数のボタンで、オフフックボタンやオンフックボタンや数字ボタン等のボタンで構成され、電話番号や記号や文字等の入力に用いる。
【００２０】
選択及び決定ボタン群１０６は、点線で囲まれている部分の複数のボタンで、上下左右のボタンは機能の選択を行い、中央のボタンは選択された機能の決定を行なう。表示装置１０５は、電話番号や記号や文字や画像等の情報を表示するための液晶表示装置であり、図示はしていないが、発光ダイオードを点灯させることにより、暗所でも表示を見る事ができるように構成している。
【００２１】
また発光ダイオードは、表示装置１０５の照明用の他に、光による報知も可能である。スピーカ１０７は、着信音やメロディー、操作確認音やアラームなどの報音を行なうように構成している。
【００２２】
次に、表示装置１０５についてもう少し詳しく説明する。
【００２３】
図２は、本発明の実施の形態を示す表示選択装置の表示の図である。表示エリア２００は、表示装置１０５の画面の表示範囲である。この表示範囲の範囲外の部分に関しては、観念的な部分で実際には表示されない。スケジュールアイコン２０９は、所定日の所定時刻にある用事などを記憶し、必要ならば所定時刻に報知する機能などを備える電子手帳機能を表現するアイコンである。
【００２４】
このスケジュールアイコン２０９は、表示エリア２００の範囲内にある部分は表示されるが、表示エリア２００の範囲外の部分は表示されない。スケジュール文字表示２０８は、「ｓｃｈｅｄｕｌｅ」の文字でスケジュール機能をあらわしているが、そのうち表示されるのは表示エリア２００の範囲内の「ｌｅ」の部分である。このように、スケジュールアイコン２０９及びスケジュール文字表示２０８は、その一部分が表示される。
【００２５】
フォンアイコン２０７は、電話番号を入力して電話をかける電話機能を表現するアイコンである。このフォンアイコン２０６は、表示エリア２００の範囲内にある部分は表示されるが、表示エリア２００の範囲外の部分は表示されない。フォン文字表示２０６は、「ｐｈｏｎｅ」の文字で電話をかける機能をあらわしているが、そのうち表示されるのは表示エリア２００の範囲内の「ｐ」の部分である。このようにフォンアイコン２０７及びフォン文字表示２０６は、その一部分が表示される。
【００２６】
また、次に選択可能な機能を示すスケジュールアイコン２０９とフォンアイコン２０７は、静止した画像で表示され、更に一部分の表示であっても、それが何の機能を表現しているのかが判断可能なように構成されている。更に、これらの機能が操作ボタンにより選択されると、中央にアイコン全体が時間経過とともに変化する表現により表示され、次に選択可能な機能が両端に静止画像で表示される。
【００２７】
メールアイコン２０５は、電子メール機能を表現するアイコンである。メールアイコン２０５は、表示エリア２００の範囲内に入っているので、その全体が表示されている。画面中央に表示しているアイコンは、現在選択されている機能であること意味している。現在選択されている機能であるメール文字表示２０４は、「ｍａｉｌ」と表示し、メール機能であることを機能名を表示することでも表している。
【００２８】
メールアイコン２０５の画像は、アイコンが時間経過とともに変化する表現することもできる。その場合、例えば第一の表示２０１と第二の表示２０２と、第三の表示２０３の３種類の画像を所定時間で切り替え表示を行い、画像が動いているように表示を行う。ここでは、３枚の画像を切り替える例を示したが、複数毎の画像を所定時間毎に切り替えたり動かしたりすることで、画像が動いている表現の表示を行えばよい。
【００２９】
また、画面の中央部分に表示されているメールアイコン２０５は、両端のスケジュールアイコン２０９及びフォンアイコン２０７とは異なる大きさで表示している。同じ大きさで表示しても良いが、大きさを変えることで、更に現在選択されている機能が何であるか分かりやすくなる。中央のメール文字表示２０４と両端のスケジュール文字表示２０８及びフォン文字表示２０６の大きさに関しても、同様である。また、以上の説明では機能を現すアイコンを画像として説明したが、文字や記号や図形などでも良い。
【００３０】
また、図示はしていないが別の表示方法として、中央に現在選択されているアイコンを表示し、上下方向に次に選択可能な機能のアイコンを表示し、図１に記載の選択及び決定ボタン群１０６の上下方向のボタン操作に対応して機能を選択する事も可能である。
【００３１】
次に、表示を変化させる場合の手順を、図３及び図４に基づいて説明する。図３は、本発明における表示選択装置の、実施の形態における動作のフローチャートを示す図であり、図４は、本発明における表示選択装置の、実施の形態に用いるメニューアドレスの内容を示す図である。
【００３２】
メニューアドレスの値列４００は、メニューアドレスの値を示している。値に対する機能列４０１は、メニューアドレスの値に対応した機能を示している。メニューアドレスの値が１であれば電話機能を、２であればメール機能を、３であればスケジュール機能を、４であれば電話帳機能を、５であれば機能設定機能であることをあらわしている。
【００３３】
表示選択ボタンが操作されると、ステップ３００スタートに処理が移り処理が開始される。そして次のステップに移る。ステップ３０１で入力されたボタンが左移動ボタン入力かを判断する。ここでＹＥＳならステップ３０２へ進む。ステップ３０２ではメニューアドレスの値から１を減算する。メニューアドレスの値は、メニューアドレスの値列４００で示した値のいずれかである。
【００３４】
メニューアドレスの値から１を減算して０以下になってしまったら、メニューアドレスの値に５をセットする。これにより選択される機能は、電話機能の次は機能設定機能となる。ステップ３０２の処理が終了したら、ステップ３０５へ進む。一方、ステップ３０１で入力されたボタンが左移動ボタン入力かの判断でＮＯならば、ステップ３０３へ進む。ステップ３０３では、入力されたボタンが右移動ボタンかを判断する。判断結果がＹＥＳならステップ３０４へ進み、ＮＯならステップ３０６エンドへ進み処理は終了し次の別の処理へ進む。ステップ３０４へ進むと、メニューアドレスの値に１を加算する。
【００３５】
ここで、メニューアドレスの値が６以上になると、メニューアドレスの値を１にセットする。つまり、機能設定機能の次は電話機能となる。次にステップ３０５へ進む。ステップ３０５ではメニューアドレスの値に対応した表示を行い、必要に応じて音や振動や光などの報知をする。図２の表示エリア２００の中央部には、選択された機能を表すアイコンが表示されるが、このメニューアドレスの値に対応した機能のアイコンの表示であり、時間経過とともに変化する表示をさせ、更にアイコンの下に機能名の表示を行う。
【００３６】
また、右側端部には、メニューアドレスの値でから１を減算した値に対応する機能のアイコンと、機能名の一部分を表示する。左端部へは、メニューアドレスの値に１を加算した値に対応する機能のアイコンと機能名の一部分を表示する。次にステップ３０６に進み処理が終了し、次の別の処理へ移る。また、表示エリア２００の中央に表示されたアイコンの時間経過とともに変化する表示処理は、所定時間毎に割り込みを発生させその割り込み毎の処理の中で画像を切り替え表示させることで実現できる。
【００３７】
ここで、ステップ３０５において、例えば、所定のメニューアドレスの値を１として、表示選択ボタンを押してメニューアドレスの値が１にセットされたときに光や音や振動で報知する事ができる。また、表示選択ボタンにより、メニューアドレスの値が変わる毎に報知音を変化させることも可能である。また、所定のメニューアドレスの値のときだけ異なる報知音や、報知振動や報知光を用いて報知する事で、音や振動や光により補助的に所定の機能に移った事を知覚ができる。更に、音はメロディーである事や音量を可変する事も可能であり、振動もリズムのある振動や強弱を持たせる事も可能で、光も発光と消灯の時間を変化や明暗を変化させる事を制御する事も可能である。
【００３８】
また、表示選択を行うボタンをプッシュスイッチのような電気回路のオンオフにより実現するものや、画面上に表示された仮想のボタンを選択するようなもの、タッチパネルのような機械的なものでなくとも実現できる。
【００３９】
次に、図５の本発明の実施の形態を示すブロック図について説明する。入力手段５０１は、スイッチなどの入力手段で入力操作をすると電気信号が発生する。この入力手段５０１の出力は、制御回路５０２に接続されている。制御回路５０２は、ＣＰＵとメモリにより構成され、プログラムにより各種制御処理を行なう。ＬＥＤ表示制御回路５０８は、制御回路５０２の制御信号によりＬＥＤ５０９の駆動を行なう。ＬＥＤ５０９は発光ダイオードである。表示制御回路５０６は、制御回路５０２の制御信号により表示装置５０７を駆動する。表示装置５０７は、液晶ディスプレイやＥＬディスプレイなどの平面型の表示装置が携帯型の機器には好ましい。報音制御回路５０３は、制御回路５０２の制御信号によりスピーカ５０５を駆動する。スピーカ５０５は、電気信号を機械振動に変換して音を発する。
【００４０】
入力手段５０１が操作されると、制御回路５０２がメモリに記憶されたプログラムしたがって処理を行なう。例えば、機能選択を行なう状況で機能選択スイッチである入力手段５０１が操作されると、次の機能へ切り替える処理を行なう。表示装置は次の機能の表示を行い、操作確認音としてスピーカが鳴り、操作確認光としてＬＥＤが点灯する。
【００４１】
ここで、図３のステップ３０５において必要に応じて報知を行なう事ができが、例えばメニューアドレスの値が電話機能を示す１に設定された場合に報音するとか、メニューアドレスの値が変化したら報音するとか、所定のメニューアドレスの値がセットされたときと他の値がセットされたときとで異な報音をするとか、メニューアドレスの値に対応して異なる報音をする等ができる。更にＬＥＤを用いたり、振動装置を振動制御回路へ接続し、更に振動制御回路を制御回路に接続することで、報音のほかに光や振動を報知に用いる事もでき、更にそれらを組み合わせる事もできる。このようにすれば、機能を切り替えた場合に単に視覚だけで確認するのでなく、聴覚や他の感覚により選択された機能を補助的にまたは主的に確認することができる。
【００４２】
【効果】
以上のようにすることで、中央部と端部とでアイコンの大きさが異ならせたり、中央のみが時間経過とともに変化する表示をすることで、現在どの機能が選択されているかが分かりやすくなる。また、表示装置以外の報知機能、例えば音や光や振動などを組み合わせて用いる事で、より分かりやすくなる。
【図面の簡単な説明】
【図１】本発明の一実施の形態を示す表示選択装置を用いた携帯電話機の図である。
【図２】本発明の一実施の形態を示す表示選択装置の表示の図である。
【図３】本発明の表示選択装置の一実施の形態の動作のフローチャートである。
【図４】本発明の表示選択装置の一実施の形態に用いるメニューアドレスの内容を示す図である。
【図５】本発明の一実施の形態を示すブロック図である。
【符号の説明】
１０４  ボタン群
１０６  選択及び決定ボタン群
１０７  スピーカ
２００  表示エリア
２０４  メール文字表示
２０５  メールアイコン
４００  アドレス列
４０１  メモリ内容列
【図１】
2004287886.tif 000003
【図２】
2004287886.tif 000004
【図３】
2004287886.tif 000005
【図４】
2004287886.tif 000006
【図５】
2004287886.tif 000007